(57)【要約】【課題】ピストン対向型ディスクブレーキのパッドピン取り外し時に、周辺部材への傷発生や塗装剥がれを抑制できるピン取り出し工具、及びピン取り出し工具の使用方法を提供する。【解決手段】ディスクブレーキのパッドピンの、装着時に用いられるピン取り出し工具、及びピン取り出し工具の使用方法であって、握り部と、ピンを押し込むための金属軸とを備え、かつ、パッドピンと接する金属軸の先端部がすり鉢構造を有し、また、金属軸が、ハードクロム等によるメッキ層を有しており、更には、金属軸の所定箇所に、緩衝材が設けられている。【選択図】  図１
2020008086.tif 000002
【特許請求の範囲】
【請求項１】
パッドピン取り外し時に用いられるピン取り出し工具であって、
握り部と、前記パッドピンを押し込むための金属軸を具備してなり、
前記パッドピンと接する金属軸の先端部を、すり鉢構造とすることを特徴とするピン取り出し工具。
【請求項２】
前記金属軸が、クロムモリブデン鋼及びニッケルクロムバナジウム鋼、あるいはいずれかの構成材料を含むことを特徴とする請求項１に記載のピン取り出し工具。
【請求項３】
前記金属軸の、前記パッドピンのピン孔に挿入される部位が、ピン孔の口径よりも細い場合には、前記金属軸の、前記握り部に当たる部位を、ピン孔の口径よりも太くすることを特徴とする請求項１又は２に記載のピン取り出し工具。
【請求項４】
前記金属軸において、当該金属軸の太さと、前記すり鉢構造における太さとが異なる、拡大すり鉢構造であることを特徴とする請求項１〜３のいずれか一項に記載のピン取り出し工具。
【請求項５】
前記金属軸の前記パッドピンのピン孔に挿入される部位と、前記握り部との間に、緩衝材を設けることを特徴とする請求項１〜４のいずれか一項に記載のピン取り出し工具。
【請求項６】
前記金属軸が、当該金属軸の構成材料と異なる金属材料又はセラミック材料によるメッキ層を有していることを特徴とする請求項１〜５のいずれか一項に記載のピン取り出し工具。
【請求項７】
ピン取り出し工具の使用方法であって、ピン取り出し工具が、握り部と、パッドピンを押し込むための金属軸と、を具備してなり、パッドピンと接する金属軸の先端部が、すり鉢構造を有しており、かつ、下記工程（ａ）〜（ｅ）を含むことを特徴とするピン取り出し工具の使用方法。
（ａ）部品交換対象であるブレーキキャリパーを備えたディスクブレーキを用意する工程
（ｂ）前記ブレーキキャリパー内の前記パッドピンを固定している封止部材を抜取る工程
（ｃ）前記パッドピンに対して、ピン取り出し工具の先端部を押し当て、反対側のピン孔から抜き取れるよう、当該パッドピンを押し込んで、取り出す工程
（ｄ）ブレーキキャリパー及びそれに付随する部品の検査工程、及び、必要に応じて付随する部品の交換工程
（ｅ）ブレーキキャリパーを備えたディスクブレーキの組立工程
【請求項８】
前記金属軸の前記パッドピンのピン孔に挿入される部位と、前記握り部との間に、緩衝材が設けてあることを特徴とする請求項７に記載のピン取り出し工具の使用方法。
【発明の詳細な説明】
【技術分野】
【０００１】
本発明は、ピン取り出し工具、及びピン取り出し工具の使用方法に関する。
特に、ピストン対向型ディスクブレーキのパッドピンを押し込むためのピン取り出し工具、及びピン取り出し工具の使用方法であって、パッドピン取り外し時の周辺部材（キャリパー等）への傷の発生や塗装の剥がれを、有効に防止できるピン取り出し工具、及びピン取り出し工具の使用方法に関する。
【背景技術】
【０００２】
従来、ピストン対向型ディスクブレーキは、ディスクの両面に摺接させる対のパッドの支持を、ディスクキャリパーのディスク回入側と回出側に取り付けたパッドピンによって行っている。
かかるピストン対向型ディスクブレーキにおいて、パッドピンを挿入するピン孔の孔面と、パッドピンと、の間に遊びがある。
そのため、パッドが車の走行中にグラつきやすいことから、板ばね製のパッドスプリングを設け、そのパッドスプリングでパッドを特定の方向に押圧し、グラつきを防止する手法が取られている。
そして、このようなピストン対向型ディスクブレーキにおいて、より大きな制動力を得るため、ブレーキサイズを大型化した場合、パッドスプリングのセット荷重が増大化して、取り外しが困難となる傾向がある。
【０００３】
そこで、パッドスプリングのセット荷重が増大化した場合でも、取り外しを容易に行えるピストン対向型ディスクブレーキが提案されている（特許文献１参照）。
より具体的には、複数のパッドスプリングの両端のピン保持部のうち、少なくとも一方のピン保持部の曲げ半径（ｒ１）をパッドピンの半径（ｒ）よりも大きくする構成である。
そして、ピン保持部の折り返し部を直線にし、この直線の折り返し部とパッドピンの接触部に働く摩擦力（Ｆr・μ）と、接触部に働くばね力の折り返し部と、平行かつ折り返し部の自由端側を向く分力（Ｆｔ）につき、Ｆr・μ＞Ｆtの条件を満足するピストン対向型ディスクブレーキである。
【先行技術文献】
【特許文献】
【０００４】
【特許文献１】特開２０１４−２２４５８１号公報（特許請求の範囲等）
【発明の概要】
【発明が解決しようとする課題】
【０００５】
しかしながら、特許文献１においては、複数のパッドピンを取り外す際に使用されるピン取り出し工具については、特に言及されていない。
そのため、通常、ピン孔と先端部のサイズが近いマイナスドライバー等を用いて、パッドピンを押し込んで、ブレーキキャリパーから取り外す手法がとられている。
【０００６】
ここで、高級車やレーシングカー用に生産されるディスクブレーキは、純正品として非常に高価な場合が多く、僅かな傷や塗装の剥がれが確認されただけでも不良品と見なされる。
しかるに、マイナスドライバー等を用いる押し込み手法では、パッドピンの端部が球形であったり、あるいは、押し込みに用いるピン取り出し工具の固定が困難であったりする。
【０００７】
したがって、それぞれピン取り出し工具のズレにより、ブレーキキャリパー等の周辺部材に対する傷発生や塗装の剥がれが生じやすいという問題があった。
そのため、整備工場等で同製品を扱う場合、僅かな傷や塗装の剥がれに応じて、補償費用が発生し、経済的に不利になりやすいという問題が見られた。
【０００８】
そこで、本発明の発明者は鋭意検討した結果、ピン取り出し工具として、所定構造とすることによって、パッドピンと、ピン取り出し工具との間の接触面を増大させ、それにより、ブレーキキャリパー等の周辺部材に対する傷発生や塗装の剥がれの発生を極限まで減少できることを見出し、本発明を完成させたものである。
【０００９】
すなわち、本発明は、周辺部材に対する傷発生や塗装剥がれを生じさせることなく、パッドピンを迅速かつ適切に取り外すことができる、ピン取り出し工具、及び、このようなパッドピンを迅速かつ適切に取り出すための、ピン取り出し工具の使用方法を提供することを目的とする。
【課題を解決するための手段】
【００１０】
本発明によれば、パッドピンの取り外し時に用いられるピン取り出し工具であって、握り部と、パッドピンを押し込むための金属軸と、を具備しており、パッドピンと接する金属軸の先端部を、すり鉢構造とすることを特徴とするピン取り出し工具が提供され、上述した問題を解決することができる。
すなわち、本発明のピン取り出し工具であれば、金属軸の先端部に、すり鉢構造を有することから、端部が球形であるパッドピンであっても、それとの接触面が増大する。
したがって、ピン取り出し工具と、パッドピンとの間のズレを有効に防止できるため、パッドピンの取り出しが迅速かつ適切に行え、周辺部材に傷発生や塗装剥がれが生じる可能性を極限まで低下させることができる。
【００１１】
また、本発明のピン取り出し工具を構成するにあたり、金属軸が、クロムモリブデン鋼及びニッケルクロムバナジウム鋼、あるいはいずれかの構成材料を含むことが好ましい。
このように所定材料を用いて構成することにより、パッドピン取り外し作業時に、金属軸が変形や破損を起こさない程度の剛性と靭性を確保する事ができる。
【００１２】
また、本発明のピン取り出し工具を構成するにあたり、金属軸の、パッドピンのピン孔に挿入される部位が、ピン孔の口径よりも細い場合には、金属軸の握り部に当たる部位を、ピン孔の口径よりも太くすることが好ましい。
このような構造とすることにより、金属軸がピン孔に深く入りすぎることを防ぎ、パッドピン取り外し作業時に、周辺部材に傷発生や塗装剥がれが生じる可能性を低減させることができる。
【００１３】
また、本発明のピン取り出し工具を構成するにあたり、金属軸において、当該金属軸の太さ（φ１）と、すり鉢構造における太さ（φ２）とが異なる、拡大すり鉢構造であることが好ましい。
すなわち、すり鉢構造における太さ（φ２）を、金属軸の太さ（φ１）よりも大きくしてなる拡大すり鉢構造とすることが好ましい。
このように金属軸の太さを変えた構成することにより、金属軸の太さを好適に保ちつつ、すり鉢構造の大きさを適宜大きく調整することができ、ピン取り出し工具が、パッドピンの先端部に対する位置合わせが良好になって、かつ、パッドピンの先端部を好適に包みこむ形状とすることができる。
【００１４】
また、本発明のピン取り出し工具を構成するにあたり、金属軸のパッドピンのピン孔に挿入される部位と、握り部との間に、緩衝材を設けることが好ましい。
このように緩衝材を設けて構成することにより、ピン取り出し工具が、ブレーキキャリパー等に対して直接接触することがなくなり、簡易構造であっても、周辺部材の傷や塗装の剥がれを、より効果的に防ぐことができる。
【００１５】
また、本発明のピン取り出し工具を構成するにあたり、金属軸が、当該金属軸の構成材料と異なる金属材料又はセラミック材料によるメッキ層を備えていることが好ましい。
このようにメッキ層を備えていることにより、金属部の摩擦を低減でき、周辺部材に接触した場合の塗装の剥がれが発生するリスクを抑えることができる。
【００１６】
また、本発明の別の態様は、ピン取り出し工具の使用方法であって、ピン取り出し工具が、握り部と、パッドピンを押し込むための金属軸と、を具備してなり、パッドピンと接する金属軸の先端部が、すり鉢構造を有しており、かつ、下記工程（ａ）〜（ｅ）を含むことを特徴とするピン取り出し工具の使用方法である。
（ａ）部品交換対象であるブレーキキャリパーを備えたディスクブレーキを用意する工程
（ｂ）ブレーキキャリパー内のパッドピンを固定している封止部材（コッターピンや樹脂封止部材材等）を抜取る工程
（ｃ）パッドピンに対して、ピン取り出し工具の先端部を押し当て、反対側のピン孔から抜き取れるよう、当該パッドピンを押し込んで、取り出す工程
（ｄ）ブレーキキャリパー及びそれに付随する部品の検査工程、及び、必要に応じて付随する部品の交換工程
（ｅ）ブレーキキャリパーを備えたディスクブレーキの組立工程
すなわち、本発明のピン取り出し工具の使用方法であれば、工程（ｃ）の端部が球形であるパッドピンの取り外しにおいて、パッドピンと、ピン取り出し工具との間の接触面を増加させ、ピン取り出し工具のズレ等を有効に防止することができる。
したがって、ブレーキキャリパー等の周辺部材に対して、傷発生や塗装剥がれの発生を極限まで抑えることができる。
その上、工程（ｃ）のブレーキキャリパーの取り外しや、ピン取り出し工具によるパッドピンの取り出し時間や、更には、工程（ｄ）のブレーキキャリパーを備えたディスクブレーキの組立工程等も所要時間が大幅に短縮化されるという利点も得られる。
【００１７】
また、本発明のピン取り出し工具の使用方法を実施するにあたり、金属軸のパッドピンのピン孔に挿入される部位と、握り部との間に、緩衝材が設けてあることが好ましい。
このように緩衝材を設けたピン取り出し工具を使用することにより、簡易構造であっても、当該ピン取り出し工具が所定箇所以外のブレーキキャリパー等の周辺部材に直接接触することをさらに有効に防止し、ひいては、このような簡易構造であっても、周辺部材の傷や塗装の剥がれを、より確実かつ効果的に防ぐことができる。
【図面の簡単な説明】
【００１８】
【図１】図１は、本発明のピン取り出し工具における金属軸、握り部、及びすり鉢構造の構成を説明するために供する図である。
【図２】図２は、本発明のピン取り出し工具における緩衝材の構成を説明するために供する別の図である。
【図３】図３（ａ）〜（ｄ）は、本発明のピン取り出し工具における、それぞれすり鉢構造及びその表面のメッキ層との関係を説明するために供する図である。
【図４】図４（ａ）〜（ｂ）は、本発明のピン取り出し工具における、それぞれ拡大すり鉢構造を説明するために供する図である。
【図５】図５は、本発明のピン取り出し工具における、すり鉢構造の直径と傷発生防止性、塗装剥がれ防止性の関係性を説明するために供する図である。
【図６】図６は、本発明のピン取り出し工具における、すり鉢構造の深さと傷発生防止性、塗装剥がれ防止性の関係性を説明するために供する図である。
【図７】図７は、本発明のピン取り出し工具を用いた使用方法を説明するために供する図である。
【図８ａ】図８ａは、緩衝材を含むピン取り外し用工具の全体図（写真）である。
【図８ｂ】図８ｂは、緩衝材を含まないピン取り外し用工具の全体図（写真）である。
【発明を実施するための形態】
【００１９】
[第１の実施形態]
第１の実施形態は、図１に例示するように、パッドピン（図示せず。）の取り外し時に用いられるピン取り出し工具１であって、握り部１１と、パッドピンを押し込むための金属軸１０を具備してなり、パッドピンと接する金属軸１０の先端部をすり鉢構造１２とすることを特徴とするピン取り出し工具１である。
以下、第１の実施形態のピン取り出し工具１について、適宜図面を参照しながら、具体的に説明する。
【００２０】
１．金属軸
図１に示すように、ピン取り出し工具１は、基部として、金属軸１０を有することを特徴とする。
そして、かかる金属軸１０は、マイナスドライバー等のピン取り出し工具と同様に、基本的に、円柱状、楕円柱状、あるいは四角柱状等であることが好ましい。
この理由は、円柱状、楕円柱状、あるいは四角柱状等であれば、先端部をすり鉢構造とすることが比較的容易かつ精度良く形成できることから、そのため、周辺部材に接触した際の、傷発生や塗装剥がれを効果的に抑制することができるためである。
【００２１】
したがって、金属軸の長さは、ブレーキキャリパー等の大きさにもよるが、通常、３０〜２００ｍｍの範囲内の値とすることが好ましい。
この理由は、かかる金属軸の長さが、３０ｍｍ未満の値になると、適応できるパッドピンの種類が過度に制限されたり、先端部をすり鉢構造とすることが困難となったりするためである。
一方、かかる金属軸の長さが、２００ｍｍを超えた値になると、ピン取り出し工具を構成して、殴打した際に、直進移動することが困難となって、パッドピンが変形したり、パッドピンの取り出しが困難になったりする場合があるためである。
したがって、金属軸の長さを８０〜１８０ｍｍの範囲内の値とすることがより好ましく、１００〜１５０ｍｍの範囲内の値とすることが更に好ましい。
【００２２】
また、金属軸を構成する材料物質としては、パッドピンの取り外し作業時に、変形や破損を起こさない程度の剛性と靭性、更には耐腐食性等を備えていれば、特に制限されるものではない。
より具体的には、例えば、クロムモリブデン鋼やニッケルクロムバナジウム鋼等の、剛性及び靭性に優れた構成材料が挙げられる。
また、かかる金属軸は、基本的に金属材料から構成されていることが好ましいが、同様の硬度や加工性を有するのであれば、セラミック軸や強化プラスチック軸等によって、金属軸１０の全部又は一部を代用することができる。
【００２３】
また、図１に示すように、金属軸１０のパッドピン２０のピン孔に挿入される部位は、ピン孔の口径よりも細くすることが好ましい。
より具体的には、金属軸１０の最も細い部位の直径（Ｌ３）を１〜８ｍｍの範囲内の値とすることが好ましい。
これは、金属軸１０の最も細い部位の直径（Ｌ３）が８ｍｍを超えた場合、ピン取り出し工具をピン孔に挿入する際に、周辺部材に対して、ピン取り出し工具が接触するリスクが増加するためである。
一方、金属軸１０の最も細い部位の直径（Ｌ３）が１ｍｍ未満であった場合、先端部をすり鉢構造とすることが困難となったり、あるいは、金属軸の強度が低下し、パッドピンの取り外し作業時に、金属軸が変形する場合があるためである。
【００２４】
また、図１に示すように、金属軸１０の握り部に当たる部位は、ピン孔の口径よりも太くすることが好ましい。
これは、ピン取り出し工具がピン孔に過度に挿入された場合、ピン取り出し工具が安定性を失い、滑って係合がはずれて、周辺部材に接触する可能性が高くなるためである。
【００２５】
なお、金属軸の握り部に当たる部位の太さは、ピン孔の口径よりも太く、かつピン取り出し工具として好適な太さであれば、特に制限されるものではないが、通常、ピン孔の口径を１００％としたときに、金属軸１０の握り部に当たる部位の太さを１２０〜５００％の範囲内の値とすることが好ましい。
その上、ピン孔の口径を１００％としたときに、金属軸の握り部に当たる部位の太さを１５０〜３００％の範囲内の値とすることがより好ましく、１８０〜２５０％の範囲内の値とすることが更に好ましい。
【００２６】
２．すり鉢構造
また、図１に示すように、金属軸１０の一方の先端部に、パッドピン２０の一部を包み込むように、正確な位置で係合するための、すり鉢構造１２を備えることが好ましい。
これは、パッドピン２０と、ピン取り出し工具１とが、所定状態かつ正確な位置で好適に係合することで、ピン取り出し工具が固定され、取り外し作業時のピン取り出し工具１のズレによる、周辺部材における傷発生や塗装剥がれを有効に防止できるためである。
そのため、すり鉢構造１２は、図３〜図４に示すように、パッドピン２０の直径より大きく、かつ、パッドピン２０と正確な位置において、かつ容易に係合するサイズであることが好ましい。
【００２７】
より具体的には、すり鉢構造の直径（Ｌ１）を２〜１０ｍｍの範囲内の値とすることが好ましく、３〜８ｍｍの範囲内の値とすることがより好ましく、４〜７ｍｍの範囲内の値とすることが更に好ましい。
すなわち、図６に示すように、すり鉢構造の直径（Ｌ１）を所定範囲内の値にすることによって、良好な傷発生防止性／塗装剥がれ防止性の評価を得ることができる。
【００２８】
また、すり鉢構造の深さ（Ｌ２）を１〜８ｍｍの範囲内の値とすることが好ましく、２〜６ｍｍの範囲内の値とすることがより好ましく、３〜５ｍｍの範囲内の値とすることがさらに好ましい。
すなわち、図７に示すように、すり鉢構造の深さ（Ｌ２）を所定範囲内の値にすることによって、良好な傷発生防止性／塗装剥がれ防止性の評価を得ることができる。
【００２９】
また、すり鉢構造の直径（Ｌ１）が、金属軸１０の最も細い部位の直径（Ｌ３）を上回った場合、図５に示すように、金属軸１０がすり鉢構造において、その太さを変えることが好ましい。すなわち、拡大すり鉢構造とすることが好ましい。
この理由は、金属軸１０の太さを先端部に向かって拡大することにより、金属軸１０が周辺部材に接触するリスクと、金属軸１０が強度不足により変形するリスクを低減でき、更に、すり鉢構造１２が、パッドピン２０の一部を包み込むように、正確な位置で係合するための形状を保つことができるためである。
【００３０】
また、すり鉢構造１２は、上記の条件を満たしていれば、図３（ａ）〜図５（ａ）に示すように、段差のない滑らかな構造であっても、図３（ｂ）〜図５（ｂ）に示すように、細かな段差のある構造であってもよい。
この理由は、上記の条件を満たしていれば、段差のない滑らかな構造であっても、細かな段差のある構造であっても、ほとんど差異なくピン取り出し工具を固定できるためである。
なお、機械加工装置（エンドミル装置）を用いて、先端部にすり鉢構造を形成するに際しては、細かな段差のある構造とするほうが、より容易に形成できると言える。
【００３１】
３．メッキ層
図１に示すように、金属軸１０は、その表面を、金属軸の構成材料と異なる別な金属種やセラミック種によって、メッキ層１３が形成してあることが好ましい。
より具体的には、金属軸１０の表面に、厚さ０．０１〜５０μｍのメッキ層を形成することが好ましい。
この理由は、潤滑性の高い金属材料やセラミック材料、例えば、金属メッキ（ハードクロム、ステンレス等）やセラミックメッキでメッキ層を形成することにより、金属部の摩擦を低減でき、周辺部材に接触した場合の、傷発生や塗装剥がれが発生するリスクを更に抑えるためである。
なお、図４に示すように、金属軸１０の先端部であるすり鉢構造１２についても、他表面と同様に、さび等の発生防止のために、ハードクロム等のメッキ層を設けていてもよい。
【００３２】
４.緩衝材
また、図２に示すように、金属軸１０のパッドピンのピン孔に挿入される部位と、握り部１１との間に、緩衝材１５を設けることが好ましい。
この理由は、かかる緩衝材１５を設けることにより、ピン取り出し工具１でパッドピン２０を押し込む際に、金属軸１０が周辺部材に接触することを防ぎ、傷や塗装の剥がれの発生を、より効果的に防ぐことができるためである。
【００３３】
かかる緩衝材１５の形状としては、図２に示すように、穴の空いた円柱状であることが好ましく、当該穴の大きさは、握り部１１よりも小さいものであることが好ましい。
これは、緩衝材１５の穴の大きさを、握り部１１よりも小さくすることで、ピン取り出し工具１がピン孔に過度に挿入された場合に、緩衝材１５がストッパーとして働くようになるためである。
【００３４】
また、緩衝材１５を構成する材料物質としては、柔軟であり、かつ衝撃を和らげることに必要な緩衝性を持つものであれば、周辺部材の傷発生や塗装剥がれを十分に防ぐことができる。
よって、材料物質としては、特に制限されるものではないが、例えば、ゴム材料（天然ゴム、合成ゴム、ブチルゴム、架橋ゴム材料等の少なくとも一つ）、合成樹脂材料（ポリプロピレン樹脂、ポリエチレン樹脂、アクリル樹脂、ポリエステル樹脂、ポリウレタン樹脂、フェノール樹脂、エポキシ樹脂、ポリアセタール樹脂、ポリ塩化ビニール樹脂等の少なくとも一つ）、熱可塑性樹脂（SBS、SIS等）の一種単独又は二種以上の組み合わせが挙げられる。
【００３５】
なお、かかる緩衝材の硬度についても特に制限されるものではないが、ＪＩＳ  Ｋ  ６３０１  Ａに準じて測定されるゴム硬度（ショアーＡ測定）を１０〜９０の範囲内の値とすることが好ましい。
この理由は、かかるゴム硬度が１０未満の値になると、所定形状に維持することが困難となったり、あるいは、周辺部材の傷発生や塗装剥がれを十分に防ぐことが困難となったりする場合があるためである。
一方、かかるゴム硬度が９０を超えると、取り扱いが困難となったり、あるいは、耐久性が著しく低下したりする場合があるためである。
したがって、ゴム硬度（ショアーＡ測定）を２０〜８０の範囲内の値とすることがより好ましく、３０〜７０の範囲内の値とすることが更に好ましい。
【００３６】
５．握り部
ピン取り出し工具１は、図１に示すように、金属軸１０の先端部におけるすり鉢構造１２を残した形で、握り部１１を備えることが好ましい。
これは既知のマイナスドライバー等の握り部と同様、作業時の手滑り等を防ぎ、ピン取り出し工具がぶつかることによる、周辺部材の傷発生や塗装剥がれを、より効果的に防ぐことができるためである。
【００３７】
かかる握り部１１を構成する材料物質としては、滑り止めとしての効果を有するものであって、摩擦の大きい材質及び形状を好適に使用できる。
より具体的には、木材や樹脂素材、あるいは凹凸により摩擦を大きくした金属素材などが挙げられる。
【００３８】
［第２の実施形態］
第２の実施形態は、ピン取り出し工具が、握り部と、パッドピンを押し込むための金属軸と、を具備してなり、パッドピンと接する金属軸の先端部が、すり鉢構造を有しており、かつ、下記工程（ａ）〜（ｅ）を含むことを特徴とするピン取り出し工具の使用方法である。
（ａ）部品交換対象であるブレーキキャリパーを備えたディスクブレーキを用意する工程
（ｂ）ブレーキキャリパー内のパッドピンを固定している封止部材（コッターピンや樹脂封止部材等）を抜取る工程
（ｃ）パッドピンに対して、ピン取り出し工具の先端部を押し当て、反対側のピン孔から抜き取れるよう、当該パッドピンを押し込んで、取り出す工程
（ｄ）ブレーキキャリパー及びそれに付随する部品の検査工程、及び、必要に応じて付随する部品の交換工程
（ｅ）ブレーキキャリパーを備えたディスクブレーキの組立工程
以下、第２の実施形態のピン取り出し工具の使用方法について、適宜図面を示しながら具体的に説明する。
【００３９】
１．工程（ａ）
工程（ａ）は、図７に記号Ｓ１で示されるように、パッドピン取り外し対象のブレーキキャリパーを装着したディスクブレーキを準備する工程である。
すなわち、ディスクブレーキの部品交換等のために、パッドピンを取り外す必要があるが、その対象としてのパッドピン以外に、ブレーキキャリパーやコッターピン等を含むディスクブレーキを準備する工程である。
【００４０】
２．工程（ｂ）
工程（ｂ）は、図７に記号Ｓ２で示すように、ディスクブレーキに固定されたブレーキキャリパーから、パッドピンを、当該ピンの長さ方向に対して、通常、垂直方向に固定している止ピンであるコッターピン（テーパーピンやテーパーボルトと称する場合もある。）又は樹脂封止を、取り外す工程である。
すなわち、コッターピン又は樹脂封止によって、ブレーキキャリパーに固定され、動作を制限されているパッドピンにつき、所定力で押圧することにより、それを取り外すための前工程である。
【００４１】
３．工程（ｃ）
工程（ｃ）は、図７に記号Ｓ３で示されるように、パッドピンに対して、第１の実施形態のピン取り出し工具の先端部を押し当て、それを押圧して、反対側のピン孔から抜き取れるよう、当該パッドピンを押し込み、所定方向に移動させて、取り出す工程である。
すなわち、パッドピンの端部を包み込むように、第１の実施形態のピン取り出し工具の先端部を接触させ、次いで、金槌やプレス装置等により、ピン取り出し工具の後端部を殴打して、所定方向に移動させてなるパッドピンを、反対側のピン孔から取り出す工程である。
したがって、工程（ｃ）の端部が球形であるパッドピンの取り外しにおいて、パッドピンと、ピン取り出し工具との間の接触面を増加させ、ピン取り出し工具のズレ等を有効に防止し、ブレーキキャリパー等の周辺部材に対して、傷発生や塗装剥がれの発生を極限まで抑えることができる。
その上、工程（ｃ）のブレーキキャリパーの取り外しや、ピン取り出し工具によるパッドピンの取り出し時間や、更には、工程（ｄ）のブレーキキャリパーを備えたディスクブレーキの組立工程等も所要時間が大幅に短縮化されるという利点も得られる。
【００４２】
４．工程（ｄ）
工程（ｄ）は、図７に記号Ｓ４で示すように、所定の検査工程と、必要があれば、ブレーキパッド交換を行う工程である。
すなわち、ピン取り出し工具が接触等することによる、周辺部材の傷発生や塗装剥れが生じているか、いないかを目視あるいは電気的検査装置や光学的検査装置を用いて、検査するとともに、必要があれば、摩耗による交換対象であるブレーキパッド等を交換する工程である。
【００４３】
５．その他の工程
その他の工程は、図７に記号Ｓ５示すように、所定の組立工程であって、任意工程である。
すなわち、取り外したパッドピンに清掃を施した後、レンチ等の工具を用いてブレーキキャリパーに取り付け、コッターピン又は樹脂封止にて固定する工程である。
【実施例】
【００４４】
以下、実施例を参照して、本発明を更に詳細に説明する。
【００４５】
［実施例１］
１．ピン取り出し工具の製造
（１）金属軸の準備
金属軸として、クロムモリブデン鋼からなる棒材（直径：１０ｍｍ、長さ：１２０ｍｍ）を用意した。
次いで、機械加工装置（エンドミル装置）を用いて、先端部（長さ（Ｌ４）：４０ｍｍ、直径：５．７ｍｍ）、テーパ部（長さ（Ｌ５）５：８ｍｍ、直径：５．７〜１０ｍｍのテーパ状）、握り部（長さ（Ｌ６）：７２ｍｍ、直径：１０ｍｍ）とを形成した。
【００４６】
次いで、金属軸の先端部に、機械加工装置（エンドミル装置）を用いて、図３（ａ）に示すような、すり鉢構造１２を形成した。
すなわち、形成されたすり鉢構造１２は、段差がない滑らかな曲面形状１２ｂを有しており、直径（Ｌ１）が５．７ｍｍ、深さ（Ｌ２）が４ｍｍであった。
更に、加工後、すり鉢構造を含めて、金属軸全体に対して、ハードクロムをメッキ法によって、厚さ１μｍのメッキ層を形成した。
【００４７】
（２）握り部の形成
金属軸のすり鉢構造を有さない一端に、樹脂素材（ポリアセタール樹脂）を被覆して、握り部を形成した。
すなわち、握り部は、ほぼ円筒であって、直径（Ｌ１´）が１０ｍｍ、長さ（Ｌ２´）が４０ｍｍであった。但し、金属軸の後端部を殴打できるように、金属軸の後端部が長さ８ｍｍほど露出するように、握り部を形成した。
なお、ピン取り出し工具を殴打等する際にすべらないように、握り部の表面に、複数本（一例として、６本）の滑り止め用溝を形成した。
【００４８】
（３）緩衝材の設置
図８（ａ）に示すように、金属軸のパッドピンのピン孔に挿入される部位と、握り部との間に、弾性ゴム（ＥＰゴム、ショア硬度：７０）によって成形された、ドーナツ状の緩衝材（厚さ：５ｍｍ、外径：１０ｍｍ、内径：８ｍｍ）を設けてなるピン取り出し工具（写真）を示す。
なお、参考として、図８（ｂ）に示すように、緩衝材を設けないピン取り出し工具（写真）を併せて示す。
【００４９】
２．対向型ブレーキキャリパーの準備
対向型ブレーキキャリパーを用意し、取り外すパッドピンとして、ピンシャフト経４．８ｍｍ、長さ５３ｍｍのステンレス製パッドピン（（株）デイトナ製、ステンレスパッドピン、ブレンボ標準車）を準備した。
【００５０】
３．評価
【００５１】
（１）装着性
パッドピンと、ピン取り出し工具とが、噛み合った状態で、正しい位置において係合するか否かの装着性を、下記基準に準じて評価した。得られた結果を表１に示す。
◎：１０秒以内に、噛み合った状態で、正しい位置において係合する。
○：３０秒以内に、噛み合った状態で、正しい位置において係合する。
△：６０秒以内に、噛み合った状態で、正しい位置において係合する。
×：６０秒以内では、噛み合った状態で、正しい位置において係合することができない。
【００５２】
（２）殴打性
パッドピンと、ピン取り出し工具とが、噛み合った状態で、正しい位置において係合したのち、金槌でピン取り出し工具の後端部を殴打して、係合が滑って乖離するか、否かの殴打性を、下記基準に準じて評価した。得られた結果を表１に示す。
◎：３０回以上の殴打でも、噛み合った状態で、正しい位置において係合している。
○：１０回以上の殴打でも、噛み合った状態で、正しい位置において係合している。
△：３回以上の殴打でも、噛み合った状態で、正しい位置において係合している。
×：３回未満の殴打でも、噛み合った状態で、正しい位置において係合していない。
【００５３】
（３）傷発生及び塗装剥がれ性
用意したパッドピンを、ピン取り出し工具を用いて取り外した後、ブレーキキャリパー等に対する傷発生及び塗装剥がれについて、目視観察し、下記基準に沿って評価した。得られた結果を表１に示す。
◎：傷発生や塗装の剥がれが全く確認されない。
○：傷発生や塗装剥がれがほとんど観察されない。
△：傷発生や塗装剥がれが少々観察される。
×：顕著な傷発生や塗装剥がれが観察される。
【００５４】
［実施例２］
実施例２においては、図３（ａ）に示すように、すり鉢構造部分のみメッキ層を形成せずに、すり鉢構造の直径（Ｌ１）を４．８ｍｍ、深さ（Ｌ２）を３．３ｍｍとしたほかは、実施例１と同様に、緩衝材を設けたピン取り出し工具を製造し、評価した。得られた結果を表１に示す。
【００５５】
［実施例３］
実施例３においては、図１あるいは図３（ｂ）に示すように、すり鉢構造を、複数の段差構造とし、すり鉢構造の直径（Ｌ１）を４．０ｍｍ、深さ（Ｌ２）を３．０ｍｍとしたほかは、実施例１と同様に、緩衝材を設けたピン取り出し工具を製造し、評価した。得られた結果を表１に示す。
【００５６】
［実施例４］
実施例４においては、金属軸の最も細い部位の直径（Ｌ３）を、すり鉢構造の直径（Ｌ１）よりも細く加工し、直径Ｌ１を２．７ｍｍ、深さＬ２を２．５ｍｍとしたほかは、実施例１と同様に、緩衝材を設けたピン取り出し工具を製造し、評価した。得られた結果を表１に示す。
【００５７】
［比較例１］
比較例１においては、すり鉢構造を設けずにおいたほかは、実施例１と同様に、緩衝材を設けたピン取り出し工具を製造し、評価した。得られた結果を表１に示す（すり鉢上構造の直径欄には金属軸の直径を示した）。
【００５８】
［比較例２］
比較例２においては、すり鉢構造を設けず、緩衝材を設けなかったほかは、実施例１と同様にピン取り出し工具を製造し、評価した。得られた結果を表１に示す（すり鉢上構造の直径欄には金属軸の直径を示した）。
【００５９】
【表１】
2020008086.tif 000003
【産業上の利用可能性】
【００６０】
本発明のピン取り出し工具及びその使用方法によれば、ピン取り出し工具は、握り部と、ピストン対向型ディスクブレーキの、パッドピンを押し込むための金属軸を具備してなり、当該パッドピンと接する金属軸の先端部が、すり鉢構造を備えており、更には、金属軸の所定箇所に緩衝材を設けることにより、パッドピン取り外し時の周辺部材への傷や塗装の剥がれを、好適に防止することができるようになった。
したがって、本発明のピン取り出し工具は、車両の整備工場や生産工場での生産性に、著しく寄与することが期待される。
【符号の説明】
【００６１】
１：ピン取り出し工具、１０：金属軸、１１：握り部、１２：すり鉢構造、１２ａ：すり鉢構造の段差、１２ｂ：すり鉢構造の平滑曲面、１２ｃ：メッキ層、１３：メッキ層（ハードクロムメッキ層）、１４：拡大すり鉢構造、１５：緩衝材、２０：パッドピン、１１０、１１６、１１９：滑り止め溝
【図１】
2020008086.tif 000004
【図２】
2020008086.tif 000005
【図３】
2020008086.tif 000006
【図４】
2020008086.tif 000007
【図５】
2020008086.tif 000008
【図６】
2020008086.tif 000009
【図７】
2020008086.tif 000010
【図８ａ】
2020008086.tif 000011
【図８ｂ】
2020008086.tif 000012